(57)【要約】インプラント用のステント補助具が開示されている。本発明によるインプラント用のステント補助具は、所定の長さを有する胴体と、前記胴体の上面と下面を貫通するドリル嵌合孔と、を備えてなり、前記胴体は、それよりも広い断面積と所定の厚さをもって設けられる支持部を上面に有する。
2007512079.tif 000002
【特許請求の範囲】
【請求項１】
患者の歯槽骨にインプラントを植立するためのインプラント用のステント補助具において、
所定の長さを有する胴体と、前記胴体の上面と下面を貫通するドリル嵌合孔と、を備え、
前記胴体は、それよりも広い断面積と所定の厚さをもって設けられる支持部を上面に有することを特徴とするインプラント用のステント補助具。
【請求項２】
患者の歯槽骨にインプラントを植立するためのインプラント用のステント補助具において、
所定の長さを有する胴体と、前記胴体の上面と下面を貫通するドリル嵌合孔と、を備え、
前記胴体は、両対向方向に所定の長さだけさらに突出され、所定の厚さをもって設けられる支持部を下面に有することを特徴とするインプラント用のステント補助具。
【請求項３】
患者の歯槽骨にインプラントを植立するためのインプラント用のステント補助具において、
所定の長さを有する胴体と、前記胴体の上面と下面を貫通するドリル嵌合孔と、を備え、
前記胴体には、下部の両角部に段差部が凹設されていることを特徴とするインプラント用のステント補助具。
【請求項４】
患者の歯槽骨にインプラントを植立するためのインプラント用のステント補助具において、
所定の長さを有する胴体と、前記胴体の上面と下面を貫通するドリル嵌合孔と、を備え、
前記胴体の上面に穿設された前記ドリル嵌合孔の開口部は、胴体の上面の中心から所定の距離だけ離れていることを特徴とするインプラント用のステント補助具。
【請求項５】
前記胴体の上面に穿設されたドリル嵌合孔の開口部は、胴体の上面の中心から所定の距離だけ離れていることを特徴とする請求項１〜３のいずれかに記載のインプラント用のステント補助具。
【請求項６】
前記ドリル嵌合孔は、所定の角度だけ斜設されることを特徴とする請求項１〜４のいずれかに記載のインプラント用のステント補助具。
【請求項７】
前記ドリル嵌合孔は、所定の角度で斜設するように穿設されていることを特徴とする請求項５に記載のインプラント用のステント補助具。
【請求項８】
前記胴体の下面には、下方に向かって突出する延設部が設けられ、前記ドリル嵌合孔は、前記延設部を貫設されていることを特徴とする請求項１〜４のいずれかに記載のインプラント用のステント補助具。
【請求項９】
前記胴体の下面には、下方に向かって突出する延設部が設けられ、前記ドリル嵌合孔は、前記延設部を貫設されていることを特徴とする請求項５に記載のインプラント用のステント補助具。
【請求項１０】
前記ドリル嵌合孔は、前記胴体の下部に行くほど断面積が広くなることを特徴とする請求項１〜４のいずれかに記載のインプラント用のステント補助具。
【請求項１１】
前記ドリル嵌合孔の上面の開口部は、下部に行くほど内側に狭くなることを特徴とする請求項１〜４のいずれかに記載のインプラント用のステント補助具。
【請求項１２】
前記胴体は、その横断面が、両対向辺が丸められた四角形状、円形または角部が丸められた四角形状を有することを特徴とする請求項１〜４のいずれかに記載のインプラント用のステント補助具。
【請求項１３】
前記上面の開口部は、その横断面が、両対向辺が丸められた四角形状、円形または角部が丸められた四角形状を有することを特徴とする請求項１〜４のいずれかに記載のインプラント用のステント補助具。
【請求項１４】
患者の歯槽骨に植立されるインプラントの植立方向を決めるためのＸ線撮影補助具において、
所定の長さを有する胴体と、前記胴体の上面と下面に突設される方向指示具と、を備えることを特徴とするＸ線撮影用の補助具。
【請求項１５】
前記胴体の上面に支持部がさらに設けられていることを特徴とする請求項１４に記載のＸ線撮影用の補助具。
【請求項１６】
患者の歯槽骨にインプラントを植立するために歯茎を除去する補助具において、
所定の長さを有する胴体と、前記胴体の下面に突設される中空管状のカッターと、を備えることを特徴とする歯茎除去用の補助具。
【請求項１７】
前記胴体の上面と下面を貫通する貫通孔がさらに穿設されていることを特徴とする請求項１６に記載の歯茎除去用の補助具。
【請求項１８】
前記カッターの下部には、歯槽骨の上部が嵌入する溝が穿設されていることを特徴とする請求項１６または１７に記載の歯茎除去用の補助具。
【請求項１９】
患者の歯槽骨にインプラントを植立するためのインプラント用のステント補助具を案内する補助具ガイドにおいて、
インプラント用のステント補助具が嵌合・受止自在に内部が中空管状に設けられていることを特徴とする補助具ガイド。
【請求項２０】
患者の歯槽骨にインプラントを植立するためのインプラント用のステント補助具の取付位置を設けるためのステント成形補助具において、
所定の長さを有する成形部と、前記胴体の下面に突設される挿入部と、を備えることを特徴とするステント成形補助具。
【請求項２１】
患者の歯槽骨を穿孔するドリル工具において、
電動手段と係合自在な形状を有する接続部材が上部に設けられ、歯槽骨の穿孔のためのドリル部が下部に設けられ、前記ドリル部よりも大径の円筒状のガイド部が前記接続部材とドリル部との間に介装されていることを特徴とするドリル工具。
【発明の詳細な説明】
【技術分野】
【０００１】
本発明はインプラント用のステント補助具に係り、さらに詳しくは、患者の歯槽骨にインプラントをより一層正確で且つ安全に植立するためのインプラント用のステント補助具に関する。
【背景技術】
【０００２】
インプラントとは、問題があったり欠損した歯牙を交換するために用いられる補綴物の一種である。現在のところ、これは、隣り合った歯牙を損傷することなく個別に施術することができ、比較的に長期の寿命を有することから、脚光を浴びている医療技術の一つとされている。
【０００３】
この種のインプラントは、ドリルなどを用いて患者の歯槽骨を穿孔した後に植立を行うため、患者の歯槽骨を穿孔することが何よりも重要である。
【０００４】
図１は、インプラントを植立するために用いられる従来のステントと、このステントを用いて穿孔を行う状態を示す斜視図である。ここで、ステントＳは、インプラントの植立に先立ち、患者の歯牙Ｔと同じ形状の模型を制作して正確な植立個所を見付けるために用いられるものであり、レジン（アクリル）などから形成され、隣り合う歯牙に嵌装される。
【０００５】
このようなステントＳを用いてインプラント植立を行う過程を説明すると、下記の通りである。
【０００６】
先ず、ゴム製の印象材料を用いて患者の上下顎の陰型を採得し、採得した陰型に石膏を注ぎ込んで患者の上下顎の形状と全く同じ石膏模型を製作する。その後、人工咬合器と係合して、患者の状態とほとんど同様な顎関節及び上下顎歯牙Ｔの相互関係を口腔外で再現する。次いで、歯牙Ｔが欠損した個所に係合される歯牙の模型を製作し、該模型をステントＳとして用いる。ステントＳに設けられた人口歯牙模型の中央部は、インプラントが植立される個所であり、この個所にドリルが嵌合可能なホールＨを穿設することにより、ステントＳの作製は完了する。通常、ステントＳは、周りの歯牙Ｔに挿入自在に製作されて歯牙Ｔに嵌装される。植立されるインプラントの個数及び位置は、患者の口腔状態、Ｘ線撮影の結果などにより決まる。
【０００７】
ステントＳの製作が完了すると、患者の歯茎Ｇを切開した後、残存する歯牙ＴにステントＳを挿入する。そして、ステントＳに穿設されたホールＨの位置を考慮して、患者の歯槽骨Ｂの上端の適宜個所に穿孔位置を表示し、ステントＳのホールＨの上部からドリルＤを挿入した後、表示された個所を穿孔することにより、インプラントの植立空間ができる。
【０００８】
このとき、前記ホールＨの下部に歯槽骨Ｂの最上部の中心が位置する場合、ドリルＤをステントＳのホールＨの中心に垂直に位置付けた後、歯槽骨Ｂを穿孔することができるが、歯槽骨Ｂの最上部が前記ホールＨの下部において内外側に離れている場合、ホールＨの直径が小さければ、ドリルＤの方向変更が困難になって穿孔作業が容易ではないため、前記ホールＨの直径を大きく取る必要がある。ところが、ホールＨは、その直径が小さいほど、ドリルＤの揺らぎが小さくて穿孔角の誤差も低くものの、ホールＨの直径が小さ過ぎる場合には、ドリルＤがホールＨの壁に引っ掛かってしまい、穿孔角を変更できなくなるという欠点がある。これに対し、ホールＨの直径が大きければ、穿孔角の変更は容易ではあるが、穿孔時にドリルＤに揺らぎが生じ、施術者が穿孔角を判断するに当たって誤差が生じる恐れがある。
【０００９】
さらに、歯槽骨Ｂの穿孔に際し、ドリルＤの目盛の視認は歯槽骨Ｂの表面から行われるが、歯槽骨Ｂ上の穿孔個所は口腔の奥側に位置するために、視野が狭く、接近が容易ではないほか、手術中における出血が歯槽骨Ｂを覆ってしまい、施術者の目盛の視認が容易ではない。
【００１０】
そして、このように目盛を視認できず、過度な穿孔が生じたり、施術者が意図していた深さまで穿孔できなかった場合、合病症が起こったり、あるいは、はじめから穿孔作業を行い直せねばならないという欠点がある。
【００１１】
さらに、従来のステントＳを用いた穿孔方法は、前述したように、施術者が意図していた位置から外れる可能性が高いため、手術中にも歯槽骨Ｂの穿孔方向を確かめるためにＸ線撮影を行ったり、周りの重要構造物の損傷の有無を確かめる煩雑な過程をさらに行ったりする場合が多く、その結果として、手術時間が延び、施術者及び患者にとって一層大変な作業になる。
【発明の開示】
【発明が解決しようとする課題】
【００１２】
本発明は上記の事情に鑑みてなされたものであり、その目的は、インプラントを植立するためのホールを穿孔する場合、穿孔作業をより一層安定的でかつ正確に、しかも迅速に行うことを可能にする、ステントに取り付けられるインプラント用のステント補助具を提供するところにある。
【００１３】
また、本発明の別の目的は、ホールの深さを正確で且つ手軽に測定可能にするインプラント用のステント補助具を提供するところにある。
【課題を解決するための手段】
【００１４】
前述した本発明の目的を達成するために、本発明によるインプラント用のステント補助具の第１の態様は、患者の歯槽骨にインプラントを植立するためのインプラント用のステント補助具において、所定の長さを有する胴体と、前記胴体の上面と下面を貫通するドリル嵌合孔と、を備え、前記胴体は、それよりも広い断面積と所定の厚さをもって設けられる支持部を上面に有することを特徴とする。
【００１５】
前述した本発明の目的を達成するために、本発明によるインプラント用のステント補助具の第２の態様は、患者の歯槽骨にインプラントを植立するためのインプラント用のステント補助具において、所定の長さを有する胴体と、前記胴体の上面と下面を貫通するドリル嵌合孔と、を備え、前記胴体は、両対向方向に所定の長さだけさらに突出され、所定の厚さをもって設けられる支持部を下面に有することを特徴とする。
【００１６】
前述した本発明の目的を達成するために、本発明によるインプラント用のステント補助具の第３の態様は、患者の歯槽骨にインプラントを植立するためのインプラント用のステント補助具において、所定の長さを有する胴体と、前記胴体の上面と下面を貫通するドリル嵌合孔と、を備え、前記胴体には、下部の両角部に段差部が凹設されていることを特徴とする。
【００１７】
前述した本発明の目的を達成するために、本発明によるインプラント用のステント補助具の第４の態様は、患者の歯槽骨にインプラントを植立するためのインプラント用のステント補助具において、所定の長さを有する胴体と、前記胴体の上面と下面を貫通するドリル嵌合孔と、を備え、前記胴体の上面に穿設された前記ドリル嵌合孔の開口部は、胴体の上面の中心から所定の距離だけ離れていることを特徴とする。
【００１８】
上記の第１の態様ないし第４の態様において、前記胴体の上面に穿設されたドリル嵌合孔の開口部は、胴体の上面の中心から所定の距離だけ離れていても良い。
【００１９】
上記の本発明によるインプラント用のステント補助具において、前記ドリル嵌合孔は、所定の角度だけ斜設されていても良い。前記胴体の下面には、下方に向かって突出する延設部が設けられ、前記ドリル嵌合孔は、前記延設部を貫設されていても良い。前記ドリル嵌合孔は、前記胴体の下部に行くほど断面積が広くなっても良い。前記ドリル嵌合孔の上面の開口部は、下部に行くほど内側に狭くなっていても良い。前記胴体は、その横断面が、両対向辺が丸められた四角形状、円形または角部が丸められた四角形状を有しても良い。前記上面の開口部は、その横断面が、両対向辺が丸められた四角形状、円形または角部が丸められた四角形状を有しても良い。
【００２０】
本発明によるＸ線撮影用の補助具は、患者の歯槽骨に植立されるインプラントの植立方向を決めるためのものであり、所定の長さを有する胴体と、前記胴体の上面と下面に突設される方向指示具と、を備えることを特徴とする。このとき、前記胴体の上面に支持部がさらに設けられていても良い。
【００２１】
本発明による歯茎除去用の補助具は、患者の歯槽骨にインプラントを植立するために歯茎を除去するものであり、所定の長さを有する胴体と、前記胴体の下面に突設される中空管状のカッターと、を備えることを特徴とする。このとき、前記胴体の上面と下面を貫通する貫通孔がさらに設けられていても良い。さらに、前記カッターの下部には、歯槽骨の上部が嵌入する溝が穿設されていることが好ましい。
【００２２】
本発明による補助具ガイドは、患者の歯槽骨にインプラントを植立するためのインプラント用のステント補助具を案内するものであり、インプラント用のステント補助具が嵌合・受止自在に内部が中空管状に設けられていることを特徴とする。
【００２３】
本発明によるステント成形補助具は、患者の歯槽骨にインプラントを植立するためのインプラント用のステント補助具の取付位置を設けるためのものであり、所定の長さを有する成形部と、前記胴体の下面に突設される挿入部と、を備えることを特徴とする。
【００２４】
本発明によるドリル工具は、患者の歯槽骨を穿孔ものであり、電動手段と係合自在な形状を有する接続部材が上部に設けられ、歯槽骨の穿孔のためのドリル部が下部に設けられ、前記ドリル部よりも大径の円筒状のガイド部が前記接続部材とドリル部との間に介装されていることを特徴とする。
【発明を実施するための最良の形態】
【００２５】
以下、添付図面に基づき、本発明による実施例を詳細に説明する。
【００２６】
図２は、本発明によるインプラント用のステント補助具の第１の実施例を示す斜視図であり、図３は、前記第１の実施例がステントに取り付けられた状態における側方向の縦断面図である。
【００２７】
この明細書において、前後方向とは、図１及び図２に矢印で示すような方向を意味し、側方向とは、前記前後方向に水平に直角をなす方向を意味する。このため、図中、側方向の縦断面図は、側方向に切断した後、前後方向からみた断面図であり、前後方向の縦断面図は、前後方向に切断した後、側方向からみた断面図である。
【００２８】
図２と図３に示す第１の実施例のように、インプラント用のステント補助具１１０は、横断面の形状が両対向辺（図中の前後方向と直交する方向に設けられた辺）が丸められた直方形状であり、垂直方向に所定の長さを有する胴体１１１と、前記胴体１１１を貫通するドリル嵌合孔１１３と、により構成されている。このとき、前記ドリル嵌合孔１１３は、前記胴体１１１の上面から下面に垂直に貫設され、ドリル嵌合孔１１３の入口に相当する上面の開口部１１５は、歯槽骨Ｂの穿孔のための穿孔手段を挿入し易くするために、下部に行くほど内側に狭くなる形状を有する。ここで、前記ステント補助具１１０の胴体１１１の形状は、両対向辺が丸められた直方形状となっているが、これに限定されることなく、円形、楕円形または角部が丸められた直方形状であっても構わない。
【００２９】
一方、歯槽骨Ｂの最上端がドリル嵌合孔１１３の中心から外れている患者にとっては、前述したように胴体１１１の中心にドリル嵌合孔１１３が垂直方向に穿設された前記第１の実施例よりは、この実施例の変形例が当てはまる。図４ないし図７を参照して、第１の実施例の変形例を説明する。
【００３０】
図４は、前記第１の実施例の第１の変形例がステントに取り付けられた状態における側方向の縦断面図であり、図５は、前記第１の変形例において、ドリル嵌合孔の傾斜方向が異なる例がステントに取り付けられた状態における前後方向の縦断面図である。
【００３１】
前記第１の実施例の第１の変形例であるステント補助具１２０は、図４に示すように、前記ステント補助具１２０と同じ形状の胴体１２１と、前記胴体１２１の上面に対して側方向に所定の角度だけ斜設されるドリル嵌合孔１２３と、により構成されている。
【００３２】
ここで、前記ドリル嵌合孔１２３が所定の角度で斜設されている前記ステント補助具１２０を用いることにより、歯槽骨Ｂの最上端がドリル嵌合孔の中心から外れている患者であっても、最適な個所に穿孔を行うことが可能になる。このとき、ドリル嵌合孔の傾斜方向は、側方向に限定されることなく、図５に示すように、前後方向であっても良い。前記ドリル嵌合孔１２３、１２３’の傾斜方向は、ステント補助具１２０、１２０’の側方向または前後方向に限定されることなく、いかなる方向であっても構わない。さらに、前記ドリル嵌合孔１２３、１２３’の斜角度は、種々な角度であっても構わない。
【００３３】
通常、患者ごとに歯槽骨Ｂの最上端の位置が異なるため、施術者は、ドリル嵌合孔の傾斜方向を異ならせた多数のステント補助具を前もって用意しておくことが好ましい。
【００３４】
図６は、前記第１の実施例の第２の変形例がステントに取り付けられた状態における側方向の縦断面図であり、図７は、前記第２の変形例において、ドリル嵌合孔の離隔方向が異なる例がステントに取り付けられた状態における前後方向の縦断面図である。
【００３５】
前記第１の実施例の第２の変形例であるステント補助具１３０は、図６に示すように、前記ステント補助具１２０と同じ形状の胴体１３１と、前記胴体１３１の上面に対して垂直に穿設されるが、ドリル嵌合孔１３３の開口部１３５が上面の中心から所定の距離だけ離れているドリル嵌合孔１３３と、により構成されている。
【００３６】
ここで、前記ドリル嵌合孔１３３が前記胴体１３１の上面の中心から所定の距離だけ離れている前記ステント補助具１２０を用いることにより、歯槽骨Ｂの最上端がドリル嵌合孔の中心から外れている患者であっても、最適な個所に穿孔を行うことが可能になる。このとき、ドリル嵌合孔の離隔方向は、側方向に限定されることなく、図７に示すように、前後方向であっても良い。前記ドリル嵌合孔１３３、１３３’の離隔方向は、ステント補助具１３０、１３０’の側方向または前後方向に限定されることなく、いかなる方向であっても構わない。さらに、前記ドリル嵌合孔１３３、１３３’は、胴体１３１、１３１’の上面に対して必ずしも垂直に穿設される必要はなく、種々の角度で斜設可能である。
【００３７】
通常、患者ごとに歯槽骨Ｂの最上端の位置が異なるため、施術者は、ドリル嵌合孔の離隔方向を異ならせた多数のステント補助具を前もって用意しておくことが好ましい。
【００３８】
図８は、本発明によるインプラント用のステント補助具の第２の実施例を示す斜視図であり、図９は、前記第２の実施例がステントに取り付けられた状態における側方向の縦断面図である。
【００３９】
図８と図９に示す第２の実施例を参照すると、インプラント用のステント補助具２１０は、垂直方向に所定の長さを有する胴体部２１１ａと、前記胴体部２１１ａよりも広い断面積及び所定の厚さをもって胴体部２１１ａの上面に設けられる支持部２１１ｂを含む胴体２１１と、前記胴体２１１の上面、すなわち、前記支持部２１１ｂの上面と胴体２１１の下面を貫通するドリル嵌合孔２１５と、により構成されている。ここで、前記胴体２１１の横断面は、両対向辺が丸められた直方形状であるが、その形状はこれに限定されるものではない。
【００４０】
このとき、前記ドリル嵌合孔２１５は、前記支持部２１１ｂの上面から前記胴体２１１の下面まで垂直に貫設される。さらに、上面の開口部２１７は、歯槽骨Ｂ穿孔のための穿孔手段を挿入し易くするために、下部に行くほど内側に狭くなる形状を有する。
【００４１】
一方、歯槽骨Ｂの最上端がドリル嵌合孔２１５の中心から外れている患者にとっては、前述したように、胴体２１１の中心にドリル嵌合孔２１５が垂直方向に穿設された前記ステント補助具２１０よりは、この実施例の変形例が当てはまる。図１０から図１３を参照し、前記第２の実施例の変形例を説明する。
【００４２】
図１０は、前記第２の実施例の第１の変形例がステントに取り付けられた状態における側方向の縦断面図であり、図１１は、前記第１の変形例において、ドリル嵌合孔の傾斜方向が異なる例がステントに取り付けられた状態における前後方向の縦断面図である。
【００４３】
前記第２の実施例の第１の変形例であるステント補助具２２０は、図１０に示すように、前記ステント補助具２１０と同じ形状の胴体部２２１ａと支持部２２１ｂよりなる胴体２２１と、前記支持部２２１ｂの上面に対して側方向に所定の角度で斜設されるドリル嵌合孔２１５と、により構成されている。
【００４４】
ここで、前記ドリル嵌合孔２２５が所定の角度で斜設されている前記ステント補助具２２０を用いることにより、歯槽骨Ｂの最上端がドリル嵌合孔の中心から外れている患者であっても、最適な個所に穿孔を行うことが可能になる。このとき、ドリル嵌合孔の傾斜方向は、側方向に限定されることなく、図１１に示すように、前後方向であっても良い。前記ドリル嵌合孔２２５、２２５’の傾斜方向は、ステント補助具２２０、２２０’の側方向または前後方向に限定されることなく、いかなる方向であっても構わない。さらに、前記ドリル嵌合孔２２５、２２５’は、種々の角度で斜設されても構わない。
【００４５】
通常、患者ごとに歯槽骨Ｂの最上端の位置が異なるため、施術者は、ドリル嵌合孔の傾斜方向を異ならせた多数のステント補助具を前もって用意しておくことが好ましい。
【００４６】
図１２は、前記第２の実施例の第２の変形例がステントに取り付けられた状態における側方向の縦断面図であり、図１３は、前記第２の変形例において、ドリル嵌合孔の離隔方向が異なる例がステントに取り付けられた状態における前後方向の縦断面図である。
【００４７】
前記第２の実施例の第２の変形例であるステント補助具２３０は、図１２に示すように、前記ステント補助具２１０と同じ形状の胴体部２３１ａと支持部２３１ｂよりなる胴体２３１と、前記支持部２３１ｂの上面に対して垂直に穿設されるが、ドリル嵌合孔２３５の開口部２３７が上面の中心から所定の距離だけ離れているドリル嵌合孔２３５と、により構成されている。
【００４８】
ここで、前記ドリル嵌合孔２３５が前記胴体２３１の上面の中心から所定の距離だけ離れている前記ステント補助具２３０を用いることにより、歯槽骨Ｂの最上端がドリル嵌合孔の中心から外れている患者であっても、最適な個所に穿孔を行うことが可能になる。このとき、ドリル嵌合孔の離隔方向は、側方向に限定されることなく、図１３に示すように、前後方向であっても良い。前記ドリル嵌合孔２３５、２３５’の離隔方向は、ステント補助具２３０、２３０’の側方向または前後方向に限定されることなく、いかなる方向であっても構わない。さらに、前記ドリル嵌合孔２３５、２３５’は胴体２３１、２３１’の上面に対して必ずしも垂直に穿設される必要はなく、種々な角度で斜設可能である。
【００４９】
通常、患者ごとに歯槽骨Ｂの最上端の位置が異なるため、施術者は、ドリル嵌合孔の離隔方向を異ならせた多数のステント補助具を前もって用意しておくことが好ましい。
【００５０】
一方、図１４は、前記第２の実施例の第３の変形例を示すものであり、前記第２の実施例の第３の変形例であるステント補助具２４０は、垂直方向に所定の長さを有する胴体部２４１ａと前記胴体部２４１ａよりも広い断面積及び所定の厚さをもって胴体部２４１ａの上面に設けられる支持部２４１ｂよりなる胴体２４１と、前記胴体２４１の上面、すなわち、前記支持部２４１ｂの上面と胴体２４１の下面を貫通するドリル嵌合孔２４５と、により構成されている。このとき、前記支持部２４１ｂは、側方向にのみ突設される。前記ドリル嵌合孔２４５の上面の開口部２４７は、穿孔手段を挿入し易くするために、下部に行くほど内側に狭くなる形状を有する。通常、前記開口部２４７は、前記支持部２４１ｂの厚さに相当する深さまで内側が狭くなるように設けられる。
【００５１】
図１５は、本発明によるインプラント用のステント補助具の第３の実施例を示す斜視図であり、図１６は、前記第３の実施例がステントに取り付けられた状態における側方向の縦断面図であり、図１７は、前記第３の実施例がステントに取り付けられた状態における前後方向の縦断面図である。
【００５２】
図１５から図１７の第３の実施例に示すように、インプラント用のステント補助具３１０は、垂直方向に所定の長さを有する胴体部３１１ａと前記胴体部３１１ａの前後方向に所定の長さだけ突出され、所定の厚さをもって胴体部３１１ａの下面に設けられる支持部３１１ｂからなる胴体３１１と、前記胴体部３１１ａの上面と支持部３１１ｂの下面を貫通するドリル嵌合孔３１５と、により構成されている。ここで、前記胴体３１１の横断面は、前記前後方向に直交する方向に位置する両対向辺が丸められた直方形状であるが、その形状はこれに限定されるものではない。
【００５３】
このとき、前記ドリル嵌合孔３１５は、前記胴体３１１の上面の中心から前記胴体３１１の下面、すなわち、支持部３１１ｂの下面まで垂直に貫設される。さらに、上面の開口部３１７は、歯槽骨Ｂの穿孔のためのドリルを挿入し易くするために、下部に行くほど内側に狭くなるように設けられる。
【００５４】
一方、歯槽骨Ｂの最上端がドリル嵌合孔３１５の中心から外れている患者にとっては、前述したように、胴体３１１の中心にドリル嵌合孔３１５が垂直方向に穿設された前記ステント補助具３１０よりは、この実施例の変形例が当てはまる。図１８から図２１を参照し、前記第３の実施例の変形例を説明する。
【００５５】
図１８は、前記第３の実施例の第１の変形例がステントに取り付けられた状態における側方向の縦断面図であり、図１９は、前記第１の変形例において、ドリル嵌合孔の傾斜方向が異なる例がステントに取り付けられた状態における前後方向の縦断面図である。
【００５６】
前記第３の実施例の第１の変形例であるステント補助具３２０は、図１８に示すように、前記ステント補助具３１０と同じ形状の胴体部３２１ａと支持部３２１ａからなる胴体３２１と、前記胴体３２１の上面に対して側方向に所定の角度で斜設されるドリル嵌合孔３２５と、により構成されている。
【００５７】
ここで、前記ドリル嵌合孔３２５が所定の角度で斜設されている前記ステント補助具３２０を用いることにより、歯槽骨Ｂの最上端がドリル嵌合孔の中心から外れている患者であっても、最適な個所に穿孔を行うことが可能になる。このとき、ドリル嵌合孔の傾斜方向は、側方向に限定されることなく、図１９に示すように、前後方向であっても良い。前記ドリル嵌合孔３２５、３２５’の傾斜方向は、ステント補助具３２０、３２０’の側方向または前後方向に限定されることなく、いかなる方向であっても構わない。さらに、前記ドリル嵌合孔３２５、３２５’は、種々の角度で斜設されても構わない。
【００５８】
通常、患者ごとに歯槽骨Ｂの最上端の位置が異なるため、施術者は、ドリル嵌合孔の傾斜方向を異ならせた多数のステント補助具を前もって用意しておくことが好ましい。
【００５９】
図２０は、前記第３の実施例の第２の変形例がステントに取り付けられた状態における側方向の縦断面図であり、図２１は、前記第２の変形例において、ドリル嵌合孔の離隔方向が異なる例がステントに取り付けられた状態における前後方向の縦断面図である。
【００６０】
前記第３の実施例の第２の変形例であるステント補助具３３０は、図２０に示すように、前記第３の実施例と同じ形状の胴体部３３１ａと支持部３３１ａよりなる胴体３３１と、前記胴体３３１の上面に対して垂直に穿設されるが、ドリル嵌合孔３３５の開口部３３７が上面の中心から所定の距離だけ離れているドリル嵌合孔３３５と、により構成されている。
【００６１】
ここで、前記ドリル嵌合孔３３５が前記胴体３３１の上面の中心から所定の距離だけ離れている前記ステント補助具３３０を用いることにより、歯槽骨Ｂの最上端がドリル嵌合孔の中心から外れている患者であっても、最適な個所に穿孔を行うことが可能になる。このとき、ドリル嵌合孔の離隔方向は、側方向に限定されることなく、図２１に示すように、前後方向であっても良い。前記ドリル嵌合孔３３５、３３５’の離隔方向は、ステント補助具３３０、３３０’の側方向または前後方向に限定されることなく、いかなる方向であっても構わない。さらに、前記ドリル嵌合孔３３５、３３５’は、胴体３３１、３３１’の上面に対して必ずしも垂直に穿設される必要はなく、種々の角度で斜設可能である。
【００６２】
通常、患者ごとに歯槽骨Ｂの最上端の位置が異なるため、施術者は、ドリル嵌合孔の離隔方向を異ならせた多数のステント補助具を前もって用意しておくことが好ましい。
【００６３】
図２２は、本発明によるインプラント用のステント補助具の第４の実施例を示す斜視図であり、図２３は、前記第４の実施例がステントに取り付けられた状態における側方向の縦断面図であり、図２４は、前記第４の実施例がステントに取り付けられた状態における前後方向の縦断面図である。
【００６４】
同図に示すように、インプラント用のステント補助具４１０は、垂直方向に所定の長さを有する胴体部４１１ａと前記胴体部４１１ａの下部の前後方向の両角部に凹設される段差部４１１ｂよりなる胴体４１１と、前記胴体４１１を貫通するドリル嵌合孔４１５と、により構成されている。ここで、前記胴体４１１の横断面は、両対向辺が丸められた直方形状であるが、その形状はこれに限定されるものではない。
【００６５】
このとき、前記ドリル嵌合孔４１５は、前記胴体４１１の上面の中心から下面まで垂直に貫通される。さらに、上面の開口部４１７は、歯槽骨Ｂの穿孔のためのドリルを挿入し易くするために、下部に行くほど内側に狭くなるように設けられる。
【００６６】
一方、歯槽骨Ｂの最上端がドリル嵌合孔の中心から外れている患者にとっては、前述したように、胴体４１１の中心にドリル嵌合孔４１５が垂直方向に穿設された前記ステント補助具４１０よりは、この実施例の変形例が当てはまる。図２５から図２８を参照し、前記第４の実施例の変形例を説明する。
【００６７】
図２５は、前記第４の実施例の第１の変形例がステントに取り付けられた状態における側方向の縦断面図であり、図２６は、前記第１の変形例において、ドリル嵌合孔の傾斜方向が異なる例がステントに取り付けられた状態における前後方向の縦断面図である。
【００６８】
前記第４の実施例の第１の変形例であるステント補助具４２０は、図２５に示すように、前記ステント補助具４１０と同じ形状の胴体部４２１ａと段差部４２１ｂよりなる胴体４２１と、前記胴体４２１の上面に対して側方向に所定の角度で斜設されるドリル嵌合孔４２５と、により構成されている。
【００６９】
ここで、前記ドリル嵌合孔４２５が所定の角度で斜設されている前記ステント補助具４２０を用いることにより、歯槽骨Ｂの最上端がドリル嵌合孔の中心から外れている患者であっても、最適な個所に穿孔を行うことが可能になる。このとき、ドリル嵌合孔の傾斜方向は、側方向に限定されることなく、図２６に示すように、前後方向であっても良い。前記ドリル嵌合孔４２５、４２５’の傾斜方向は、ステント補助具４２０、４２０’の側方向または前後方向に限定されることなく、いかなる方向であっても構わない。さらに、前記ドリル嵌合孔４２５、４２５’は、種々な角度で斜設可能である。
【００７０】
通常、患者ごとに歯槽骨Ｂの最上端の位置が異なるため、施術者は、ドリル嵌合孔の傾斜方向を異ならせた多数のステント補助具を前もって用意しておくことが好ましい。
【００７１】
図２７は、前記第４の実施例の第２の変形例がステントに取り付けられた状態における側方向の縦断面図であり、図２８は、前記第２の変形例において、ドリル嵌合孔の離隔方向が異なる例がステントに取り付けられた状態における前後方向の縦断面図である。
【００７２】
さらに、前記第４の実施例の第２の変形例であるステント補助具４３０は、図２７に示すように、前記ステント補助具４１０と同じ形状の胴体部４３１ａと段差部４３１ｂよりなる胴体４３１と、前記胴体４３１の上面に対して垂直に穿設されるが、ドリル嵌合孔４３５の開口部４３７が上面の中心から所定の距離だけ離れているドリル嵌合孔４３５と、により構成されている。
【００７３】
ここで、前記ドリル嵌合孔４３５が前記胴体４３１の上面の中心から所定の距離だけ離れている前記ステント補助具４３０を用いることにより、歯槽骨Ｂの最上端がドリル嵌合孔の中心から外れている患者であっても、最適な個所に穿孔を行うことが可能になる。このとき、ドリル嵌合孔の離隔方向は、側方向に限定されることなく、図２８に示すように、前後方向であっても良い。前記ドリル嵌合孔４３５、４３５’の離隔方向は、ステント補助具４３０、４３０’の側方向または前後方向に限定されることなく、いかなる方向であっても構わない。さらに、前記ドリル嵌合孔４３５、４３５’は、胴体４３１、４３１’の上面に対して必ずしも垂直に穿設される必要はなく、種々な角度で斜設可能である。
【００７４】
通常、患者ごとに歯槽骨Ｂの最上端の位置が異なるため、施術者は、ドリル嵌合孔の離隔方向を異ならせた多数のステント補助具を前もって用意しておくことが好ましい。
【００７５】
図２９は、本発明によるインプラント用のステント補助具に延設部がさらに設けられている状態を示す斜視図であり、図３０は、図２９に示すインプラント用のステント補助具の断面図である。
【００７６】
ステント補助具１１０は、図２９と図３０に示すように、胴体部１１１よりも狭い断面積をもって設けられ、前記胴体部１１１の下面から下方に向かって延設部１１７が所定の長さだけさらに延びている。このとき、ドリル嵌合孔１１３は、前記延設部１１７を貫設される。ここで、図２９と図３０に示す前記ステント補助具１１０は、前記第１の実施例を基準とするものに過ぎず、前記他の全ての実施例及びその変形例に適用可能である。
【００７７】
図３１ないし図３７は、種々な形状のドリル嵌合孔が穿設された本発明によるインプラント用のステント補助具の斜視図である。
【００７８】
図３１から図３３に示すように、ステント補助具１４０のドリル嵌合孔は、上下面の開口部１４５、１４７が異なる形状に穿設される。前記ドリル嵌合孔１４３の上面の開口部１４５は円形に形成されるが、下部に行くほど拡開し、下面の開口部１４７は、胴体１４１の前後方向または側方向に沿って長く形成されるか、あるいは、前後方向と側方向に同時に拡開するような形状を有する。
【００７９】
さらに、図３４及び図３５に示すステント補助具１５０のドリル嵌合孔１５３は、上下面の開口部１５５、１５７が互いに同じ形状に形成されるが、胴体１５１の前後方向または側方向に長く形成される。
【００８０】
一方、図３６及び図３７を参照すると、同図に示すステント補助具１６０のドリル嵌合孔１６３は、上下面の開口部１６５、１６７が異なる形状に形成されるが、前記上面の開口部１６５は、図３４及び図３５に示すように、胴体１６１の前後方向または側方向に長く形成され、下面の開口部１６７は、図３４に示すように、前後方向と側方向に同時に拡開したような形状を有する。
【００８１】
前述したように、ドリル嵌合孔の形状を異ならせて形成する理由は、歯槽骨の穿孔の作業に際し、穿孔手段の穿孔角を変えるためである。図３１から図３７は、本発明の第１の実施例によるステント補助具１１０について説明しているが、当然のことながら、他の変形例及び実施例についても適用可能である。
【００８２】
図３８は、本発明によるＸ線撮影用の補助具を示す斜視図であり、図３９は、前記Ｘ線撮影用の補助具がステントに取り付けられた状態における前後方向の縦断面図である。
【００８３】
前記Ｘ線撮影用の補助具５００は、垂直方向に所定の長さを有する胴体部５０１ａと前記胴体５０１ａの上面に両方向に突設された突出支持部５０１ｂからなる胴体５０１と、前記胴体５０１の上面と下面に突設される方向指示具５０３と、により構成されている。
【００８４】
このようにして構成されるＸ線撮影用の補助具５００は、歯槽骨Ｂの最適な穿孔角を調べるためのものであり、その方法は、下記の通りである。先ず、ステントＳに前記Ｘ線撮影用の補助具５００が挿入自在に所定のホールＨを形成する。前記ホールＨが完成すると、ホールＨに前記Ｘ線撮影用の補助具５００を挿入し、その状態において、Ｘ線撮影を行う。その後、撮影された写真を印画すると、歯槽骨Ｂの形状と共に、前記Ｘ線撮影用の補助具５００が現れるが、方向指示具５０３の先端点を結ぶ仮想の軸を形成して歯槽骨Ｂと比較すると、最適な穿孔角を補足することができる。
【００８５】
図４０は、本発明による歯茎除去用の補助具を示す斜視図であり、図４１は、前記歯茎除去用の補助具がステントに取り付けられた状態における前後方向の縦断面図である。
【００８６】
前記歯茎除去用の補助具６００は、所定の長さを有する胴体６０１と、前記胴体６０１の下部に設けられるカッター６０３と、により構成されている。
【００８７】
前記胴体６０１は、両対向辺が丸められた形状に所定の長さをもって設けられ、前記カッター６０３は、円筒状に歯茎Ｇを切断自在に下端に行くほど外径が狭くなるように形成され、その内部には、切断された歯茎Ｇが挿入自在に所定のスペース６０５が設けられる。さらに、前記歯茎除去用の補助具６００は、口腔模型上において、予測位置と実際の穿孔位置との誤差を確認するために、前記胴体６０１とカッター６０３を貫通する貫通孔６０７が穿設され、施術者は、前記貫通孔６０７を介して穿孔個所の適合性を判断することになる。
【００８８】
図４２は、前記歯茎除去用の補助具の他の実施例を示す斜視図であり、図４３は、図４２の歯茎除去用の補助具がステントに取り付けられた状態における側方向の縦断面図である。
【００８９】
歯茎除去用の補助具の他の実施例は、前記図４２及び図４３に示す実施例と同じ形状に形成されるが、カッター６０３の下端に歯槽骨Ｂの上部が挿入自在に、通常の歯槽骨Ｂの上部と対応する形状の溝６０９が穿設される。前述したように、溝６０９が穿設された歯茎除去用の補助具６００’は、カッター６０３と歯槽骨Ｂとの間に広い接触面積を持つことになり、歯茎Ｇの除去を一層確実に行うことができる。
【００９０】
図４４は、本発明によるステント成形補助具を示す斜視図であり、図４５は、前記ステント成形補助具の使用状態を示す斜視図である。
【００９１】
ステントに前記インプラント用のステント補助具、Ｘ線撮影補助具及び歯茎除去用の補助具を挿入するためのステントホールＨを加工するに当たり、胴体の横断面の形状が円形ではなければ、ドリルによる加工は行うことができない。
【００９２】
このため、前記ステントホールＨを加工するには、他の方法が求められるが、図４４に示すステント成形補助具７００を用いてステントホールＨを簡単に加工することができる。
【００９３】
前記ステント成形補助具７００は、上記のインプラント用のステント補助具、Ｘ線撮影補助具及び歯茎除去用の補助具の胴体と同じ形状の平断面を有する成形部７０１と、前記成形部７０１の下面から下側に向かって延設する円筒状の挿入部７０３と、により構成されている。このとき、インプラント用のステント補助具、Ｘ線撮影補助具及び歯茎除去用の補助具の胴体は、前述した全ての実施例において同じサイズの横断面を有する。
【００９４】
以下、図４４を参照してステントホールＨの穿孔過程を説明する。先ず、口腔石膏模型のうち人工歯牙が植立される歯槽骨の部分に最適方向に挿入溝Ｈを穿設した後、前記ステント成形補助具７００の挿入部７０３を前記挿入溝Ｈに差し込み、ステント成形補助具７００を適宜方向に位置付けた状態において、ステントＳを製作する。その後、前記ステント成形補助具７００を外すと、ステントＳの内部に各種のインプラント用のステント補助具、Ｘ線撮影補助具及び歯茎除去用の補助具が挿入可能なステントホールＨが完成する。
【００９５】
図４６は、本発明による補助具ガイドを示す斜視図であり、図４７は、前記補助具ガイドがステントに取り付けられた状態における前後方向の縦断面図である。
【００９６】
補助具ガイド８００は、各種のインプラント用のステント補助具、Ｘ線撮影補助具及び歯茎除去用の補助具がステントホールＨに挿入されるに当たり、ステントホールＨとの摩擦力を低減することで、挿入を容易にするためのものである。同図を参照すると、補助具ガイド８００は、所定の長さを有する胴体８０１と、前記胴体８０１の上下に開口部が設けられる挿入孔８０３と、により構成されている。前記胴体部８０１は、ステントホールＨの内壁面に取付自在に設けられ、前記挿入孔８０３は、インプラント用のステント補助具、Ｘ線撮影補助具及び歯茎除去用の補助具が嵌合・受止自在に形成される。
【００９７】
図４８は、本発明による歯槽骨の穿孔のためのドリル工具を示す斜視図であり、図４９は、前記ドリル工具が前記第１の実施例に挿入された状態における側方向の縦断面図である。
【００９８】
同図を参照すると、ドリル工具９００は、外部の電動手段と係合可能な形状を有する接続部材９０１が上部に設けられ、歯槽骨の穿孔のためのドリル部９０３が下部に設けられ、前記ドリル部９０３よりも大径の円筒状のガイド部９０５が前記接続部材９０１とドリル部９０３との間に介装されている。ここで、前記接続部材９０１、ドリル部９０３及びガイド部９０５は一体に形成される。
【００９９】
ここで、前記ガイド部９０５は、前記図２及び図３に示すステント補助具１１０のドリル嵌合孔１１３に沿って挿入されて歯槽骨を穿孔するが、少なくともドリル嵌合孔１１３と同じ直径を有する。さらに、前記ガイド部９０５は、ドリル部９０３よりも大径に形成され、歯槽骨の穿孔作業に際してドリル部９０３が所定の深さ以上になることを阻止するストッパの役割を果たす。前述したようにストッパを形成する理由は、インプラントを植立するための手術部位はほとんどが狭くて奥側に位置するために手術時に出血が多く、このため、施術者が回転するドリル工具９００に刻んである目盛を視認できなくなるからである。
【０１００】
図５０は、本発明によるインプラント用のステント補助具を用いた歯槽骨の穿孔過程を示す概略図である。
【０１０１】
本発明によるインプラント用のステント補助具を用いた歯槽骨の穿孔方法は、ステント補助具１０００を設ける段階と、ステントＳを製作する段階と、前記ステントＳに前記ステント補助具１０００を取り付けるための空間を設け、上面の一部を切断する段階と、前記ステントＳに前記ステント補助具１０００を取り付ける段階と、前記ステント補助具１０００のドリル嵌合孔１００１を介して図４８及び図４９に示すドリル工具９００を挿入し、歯槽骨を穿孔する段階と、を含む。このとき、前記ステント補助具１０００の上面が、上面の一部が切断された前記ステントＳの上面と面一、あるいはそれよりも低いステント補助具を選択して用いる必要がある。
【０１０２】
図５０に示す歯槽骨の穿孔過程に用いられたステント補助具１０００としては、前述した本発明によるステント補助具に加えて、いかなるステント補助具も使用可能である。
【０１０３】
ここで、前記ステントＳの上部を切断した後、前記各実施例のステント補助具１０００を取り付けて用いる理由は、歯槽骨の深い穿孔作業が必要であるか、あるいは、患者の開口量が低くて、図４８及び図４９に示すドリル工具９００を挿入することが困難である場合、通常のステント補助具では、歯槽骨の穿孔作業が行えなくなるからである。
【０１０４】
図５１は、本発明によるインプラント用のステント補助具を用いた歯槽骨の他の穿孔過程を示す概略図である。
【０１０５】
本発明によるインプラント用のステント補助具を用いた歯槽骨の穿孔方法は、ステント補助具１０００を設ける段階と、ステントＳを製作する段階（Ｓ２３）と、前記ステントＳに前記ステント補助具１０００を取り付けるための空間を設ける段階と、前記ステントＳに前記ステント補助具１０００を取り付ける段階と、前記ステント補助具１０００に穿設されたドリル嵌合孔１００１を介して図４８及び図４９に示すドリル工具９００を挿入し、歯槽骨を穿孔する段階と、を含む。このとき、前記ステント補助具１０００としては、前記ステントＳと同じ高さを有するものが用いられる。これとは異なり、前記ステント補助具１０００としては、前記ステントＳの上面より突き出る高さを有するものを用いても良い。その理由は、歯槽骨の穿孔作業に際し、ドリル嵌合孔の長さが短くて、図４８及び図４９に示すドリル工具９００を支持できない場合、短尺のステント補助具では、歯槽骨の穿孔作業が行えなくなるからである。すなわち、穿孔作業に際し、ドリル工具９００のガイド部９０５の一部がドリル嵌合孔１００１に所定の長さだけ挿入された状態で穿孔作業を始めなければ、ドリル嵌合孔１００１に沿って穿孔作業を行えなくなる。
【０１０６】
以上、本発明の好適な実施例によるインプラント用のステント補助具の構成及びインプラント用のステント補助具を用いた歯槽骨の穿孔方法を詳しく説明したが、これは単なる例示的なものに過ぎず、本発明の技術的な思想から逸脱しない限り、各種の変形及び変更が加えられることは、この分野における通常の技術者にとって明らかである。
【０１０７】
産業上の利用可能性
【０１０８】
以上、述べてきたように、本発明によるインプラント用のステント補助具は、下記の如き利点を有する。
【０１０９】
先ず、第一に、予め決めた歯槽骨の穿孔角を基にドリルをインプラント用のステント補助具に挿入して穿孔を行うことから、施術中に角度の変化を考慮することが不要になり、手術時間が短縮され、手術が容易になる他、施術者の疲労も低減可能である。さらに、口腔外において予測しておいた穿孔角が、手術中に歯槽骨の位置ずれにより変わったとしても、咬合面の中心部の位置は不変になるため、理想的な最終補綴物を製作及び取付可能である。のみならず、可変した傾斜角を数値的に測定することができ、科学的で且つ機械的な穿孔作業が行える。
【０１１０】
第二に、インプラント用のステント補助具によるドリルの誘導は、穿孔時におけるドリルの揺らぎを防止して安定的で且つ正確に歯槽骨を穿孔することができる。
【０１１１】
第三に、口腔外で予測及び決定しておいた穿孔角を口腔内で実際の手術時にそのまま再現できることから、手術前であっても、手術後の結果をある程度予測することができる。実際の手術過程と同様に、口腔外でサーベイヤーにより口腔模型上に多数のインプラント間の前後及び内外側の完璧な平行を図り、たとえ歯茎の剥離をしなかった状態であっても、最適な個所に模擬穿孔を行い、その穿孔角をインプラント用のステント補助具に適用することにより、一層機械的な結果を得ることができる。実際に、前記ステント補助具を用いた手術中に、前後方の角度を変えることは皆無であり、内外側の角度のみを歯槽骨の位置に応じて可変する。また、手術前に、Ｘ線撮影用の補助具付きステントを患者の口腔内に取り付けてＸ線撮影を行うことにより、植立されたインプラントの長さが予測可能であり、ドリル嵌合孔の方向の適正性と周りの重要構造物との関係を予測することができ、必要に応じて、挿入方向を予め修正することもできる。さらに、Ｘ線撮影用の補助具を患者の口腔内に取り付けてＣＴ撮影を行うことで、歯槽骨の穿孔方向を予測することが可能になる。
【０１１２】
第四に、インプラント用のステント補助具が歯槽骨に当接する場合、予想の穿孔深さに補助具の長さを加算したドリルの目盛を補助具の最上方に位置付けて、従来の手術時における出血によるもやもやしい視野を排除して穿孔作業を行うことができ、手術の安定性を高めることができる。さらに、ストッパ機能付きドリル工具を用いることにより、過大な穿孔の恐れがなく、手術の安定性を高めることができる。
【０１１３】
第五に、補助具本体が規格化されていることから、必要に応じて、相異なる形状の補助具を用いることができ、手術の条件に効果的に対応可能である。
【０１１４】
第六に、Ｘ線撮影用の補助具は、Ｘ線撮影時に拡大率を補正する道具として用いられる。
【０１１５】
最後に、手術中にインプラント用のステント補助具を使用できない特殊状況が生じた場合、インプラント用のステント補助具を外し、補助具ガイドのみを用いて従来の方法によって施術可能である。
【図面の簡単な説明】
【０１１６】
【図１】インプラントを植立するために用いられる従来のステントと、前記ステントを用いて穿孔を行う状態を示す斜視図。
【図２】本発明によるインプラント用のステント補助具の第１の実施例を示す斜視図。
【図３】前記第１の実施例がステントに取り付けられた状態における側方向の縦断面図。
【図４】前記第１の実施例の第１の変形例がステントに取り付けられた状態における側方向の縦断面図。
【図５】前記第１の変形例において、ドリル嵌合孔の傾斜方向が異なる例がステントに取り付けられた状態における前後方向の縦断面図。
【図６】前記第１の実施例の第２の変形例がステントに取り付けられた状態における側方向の縦断面図。
【図７】前記第２の変形例において、ドリル嵌合孔の離隔方向が異なる例がステントに取り付けられた状態における前後方向の縦断面図。
【図８】本発明によるインプラント用のステント補助具の第２の実施例を示す斜視図。
【図９】前記第２の実施例がステントに取り付けられた状態における側方向の縦断面図。
【図１０】前記第２の実施例の第１の変形例がステントに取り付けられた状態における側方向の縦断面図。
【図１１】前記第１の変形例において、ドリル嵌合孔の傾斜方向が異なる例がステントに取り付けられた状態における前後方向の縦断面図。
【図１２】前記第２の実施例の第２の変形例がステントに取り付けられた状態における側方向の縦断面図。
【図１３】前記第２の変形例において、ドリル嵌合孔の離隔方向が異なる例がステントに取り付けられた状態における前後方向の縦断面図。
【図１４】前記第２の実施例の第３の変形例を示す斜視図。
【図１５】本発明によるインプラント用のステント補助具の第３の実施例を示す斜視図。
【図１６】前記第３の実施例がステントに取り付けられた状態における側方向の縦断面図。
【図１７】前記第３の実施例がステントに取り付けられた状態における前後方向の縦断面図。
【図１８】前記第３の実施例の第１の変形例がステントに取り付けられた状態における側方向の縦断面図。
【図１９】前記第１の変形例において、ドリル嵌合孔の傾斜方向が異なる例がステントに取り付けられた状態における前後方向の縦断面図。
【図２０】前記第３の実施例の第２の変形例がステントに取り付けられた状態における側方向の縦断面図。
【図２１】前記第２の変形例において、ドリル嵌合孔の離隔方向が異なる例がステントに取り付けられた状態における前後方向の縦断面図。
【図２２】本発明によるインプラント用のステント補助具の第４の実施例を示す斜視図。
【図２３】前記第４の実施例がステントに取り付けられた状態における側方向の縦断面図。
【図２４】前記第４の実施例がステントに取り付けられた状態における前後方向の縦断面図。
【図２５】前記第４の実施例の第１の変形例がステントに取り付けられた状態における側方向の縦断面図。
【図２６】前記第１の変形例において、ドリル嵌合孔の傾斜方向が異なる例がステントに取り付けられた状態における前後方向の縦断面図。
【図２７】前記第４の実施例の第２の変形例がステントに取り付けられた状態における側方向の縦断面図。
【図２８】前記第２の変形例において、ドリル嵌合孔の離隔方向が異なる例がステントに取り付けられた状態における前後方向の縦断面図。
【図２９】本発明によるインプラント用のステント補助具の第１の実施例に延設部がさらに設けられている状態を示す斜視図。
【図３０】図２９に示すインプラント用のステント補助具の断面図。
【図３１】種々な形状のドリル嵌合孔が穿設された本発明によるインプラント用のステント補助具の斜視図。
【図３２】種々な形状のドリル嵌合孔が穿設された本発明によるインプラント用のステント補助具の斜視図。
【図３３】種々な形状のドリル嵌合孔が穿設された本発明によるインプラント用のステント補助具の斜視図。
【図３４】種々な形状のドリル嵌合孔が穿設された本発明によるインプラント用のステント補助具の斜視図。
【図３５】種々な形状のドリル嵌合孔が穿設された本発明によるインプラント用のステント補助具の斜視図。
【図３６】種々な形状のドリル嵌合孔が穿設された本発明によるインプラント用のステント補助具の斜視図。
【図３７】種々な形状のドリル嵌合孔が穿設された本発明によるインプラント用のステント補助具の斜視図。
【図３８】本発明によるＸ線撮影用の補助具を示す斜視図。
【図３９】前記Ｘ線撮影用の補助具がステントに取り付けられた状態における前後方向の縦断面図。
【図４０】本発明による歯茎除去用の補助具を示す斜視図。
【図４１】前記歯茎除去用の補助具がステントに取り付けられた状態における前後方向の縦断面図。
【図４２】前記歯茎除去用の補助具の他の実施例を示す斜視図。
【図４３】図４２の歯茎除去用の補助具がステントに取り付けられた状態における側方向の縦断面図。
【図４４】本発明によるステント成形補助具を示す斜視図。
【図４５】前記ステント成形補助具の使用状態を示す斜視図。
【図４６】本発明による補助具ガイドを示す斜視図。
【図４７】前記補助具ガイドがステントに取り付けられた状態における前後方向の縦断面図。
【図４８】本発明による歯槽骨の穿孔のためのドリル工具を示す斜視図。
【図４９】前記ドリル工具が前記第１の実施例に挿入された状態における側方向の縦断面図。
【図５０】本発明によるインプラント用のステント補助具を用いた歯槽骨の穿孔過程を示す概略図。
【図５１】本発明によるインプラント用のステント補助具を用いた歯槽骨の他の穿孔過程を示す概略図。
【図１】
2007512079.tif 000003
【図２】
2007512079.tif 000004
【図３】
2007512079.tif 000005
【図４】
2007512079.tif 000006
【図５】
2007512079.tif 000007
【図６】
2007512079.tif 000008
【図７】
2007512079.tif 000009
【図８】
2007512079.tif 000010
【図９】
2007512079.tif 000011
【図１０】
2007512079.tif 000012
【図１１】
2007512079.tif 000013
【図１２】
2007512079.tif 000014
【図１３】
2007512079.tif 000015
【図１４】
2007512079.tif 000016
【図１５】
2007512079.tif 000017
【図１６】
2007512079.tif 000018
【図１７】
2007512079.tif 000019
【図１８】
2007512079.tif 000020
【図１９】
2007512079.tif 000021
【図２０】
2007512079.tif 000022
【図２１】
2007512079.tif 000023
【図２２】
2007512079.tif 000024
【図２３】
2007512079.tif 000025
【図２４】
2007512079.tif 000026
【図２５】
2007512079.tif 000027
【図２６】
2007512079.tif 000028
【図２７】
2007512079.tif 000029
【図２８】
2007512079.tif 000030
【図２９】
2007512079.tif 000031
【図３０】
2007512079.tif 000032
【図３１】
2007512079.tif 000033
【図３２】
2007512079.tif 000034
【図３３】
2007512079.tif 000035
【図３４】
2007512079.tif 000036
【図３５】
2007512079.tif 000037
【図３６】
2007512079.tif 000038
【図３７】
2007512079.tif 000039
【図３８】
2007512079.tif 000040
【図３９】
2007512079.tif 000041
【図４０】
2007512079.tif 000042
【図４１】
2007512079.tif 000043
【図４２】
2007512079.tif 000044
【図４３】
2007512079.tif 000045
【図４４】
2007512079.tif 000046
【図４５】
2007512079.tif 000047
【図４６】
2007512079.tif 000048
【図４７】
2007512079.tif 000049
【図４８】
2007512079.tif 000050
【図４９】
2007512079.tif 000051
【図５０】
2007512079.tif 000052
【図５１】
2007512079.tif 000053
【国際調査報告】
2007512079.tif 000054
2007512079.tif 000055
2007512079.tif 000056